(57)【要約】  【課題】筐体を傾斜させて載置できる脚構造において、簡単な構造で筐体の傾斜角度を変えることができるとともに、十分な耐荷重性能が低コストで得ること。  【解決手段】本発明にかかる筐体の脚構造は、筐体の底面に着脱可能な脚部材を配設し、前記着脱可能な脚部材の底面は、装着状態において載置面と平行となるように傾斜させて形成し、前記着脱可能な脚部材には、装着角度を規制する規制構造を形成した。さらに、前記着脱可能な脚部材は、前記筐体の底面に予め配設された固定式の前部主脚部材に被せて装着し得るように構成した。【選択図】      図３
2005166720.tif 000002
【特許請求の範囲】
【請求項１】
箱状の筐体を傾斜させて載置するための脚構造において、
筐体の底面に着脱可能な脚部材を配設したことを特徴とする筐体の脚構造。
【請求項２】
前記着脱可能な脚部材の底面は、装着状態において載置面と平行となるように傾斜させて形成されていることを特徴とする請求項１に記載の筐体の脚構造。
【請求項３】
前記着脱可能な脚部材には、装着角度を規制する規制構造が形成されていることを特徴とする請求項２に記載の筐体の脚構造。
【請求項４】
前記着脱可能な脚部材は、前記筐体の底面に予め配設された脚部材に被せて装着し得るように構成されていることを特徴とする請求項１、２、３の何れかに記載の筐体の脚構造。
【発明の詳細な説明】
【技術分野】
【０００１】
本発明は、卓上載置型のアマチュア無線機の筐体のような箱型の筐体を若干傾斜させて使用するための筐体の脚構造に関するものである。
【背景技術】
【０００２】
従来より、卓上載置型のアマチュア無線機の筐体の底面には、例えば４個の脚部材が固定されている。これらの脚部材の高さは全て同じであって、前記筐体を水平に載置するように構成されている。
しかし、前記筐体の前面に、表示部や操作部が形成されている場合には、前面を若干傾斜させた方が見やすく操作しやすいので、筐体の底面の前部に折り畳み可能なスタンドを備え、その折り畳み可能なスタンドを立てることによって筐体を傾斜させ、折り畳むことによって筐体を水平に載置することができるように構成されたものがある。
このような折り畳み式の脚構造では、十分な強度（耐荷重性能）が得にくいので、その改善例として、十分な耐荷重性能が得られる脚構造が提案されている。（例えば、特許文献１参照）
【０００３】
【特許文献１】特開平１１−３０７９４５号公報
【発明の開示】
【発明が解決しようとする課題】
【０００４】
このように、簡単な構造の折り畳み可能なスタンドでは耐荷重性能が不十分となるが、前記特許文献１に記載されているような構造では、確かに強度は増すが、複雑な構造が必要となってコストが嵩むという問題がある。
【０００５】
そこで、本発明は、簡単な構造で傾斜角度を変えることができるとともに、十分な強度が低コストで得られる筐体の脚構造の提供を目的としてなされたものである。
【課題を解決するための手段】
【０００６】
本発明にかかる筐体の脚構造の請求項１は、箱状の筐体を傾斜させる筐体の傾斜角度調節構造において、筐体の底面に着脱可能な脚部材を配設した。
請求項２では、前記着脱可能な脚部材の底面は、装着状態において載置面と平行となるように傾斜させて形成した。
請求項３では、前記着脱可能な脚部材には、装着角度を規制する規制構造を形成した。  請求項４では、前記着脱可能な脚部材は、前記筐体の底面に予め配設された脚部材に被せて装着し得るように構成した。
【発明の効果】
【０００７】
本発明の筐体の脚構造によれば、筐体の底面に脚部材を着脱可能に構成したので、装着した状態と取り外した状態とでその部分の高さを変え、筐体の傾きを変えることが可能となった。
しかも、着脱するだけの構造であるので、十分な強度を得やすいとともに、コストも押さえることができる。
また、前記着脱可能な脚部材の底面を、装着状態において載置面と平行となるように傾斜させて形成すると、傾斜させて載置した状態が安定する。
また、前記着脱可能な脚部材の底面を傾斜させた場合には、前記着脱可能な脚部材に、装着角度を規制する規制構造を形成することによって、着脱可能な脚部材を確実に所定の角度で取り付けることができる。
また、前記着脱可能な脚部材を、前記筐体の底面に予め配設された脚部材に被せて装着し得るように構成すると、装着した状態でも整った外観が得られる。
【発明を実施するための最良の形態】
【０００８】
以下に、本発明にかかる筐体の脚構造を、その実施の形態を採用した無線通信機の図面を参照しつつ詳細に説明する。
図１は前記無線通信機の全体斜視図であり、この無線通信機１の前面11には大型の液晶ディスプレイ装置12や、各種操作スイッチ・ツマミ類が配設されている。また、前記無線通信機１の底面の４個所には前部主脚部材２、２と後部脚部材３、３とが固定されている。これらの前部主脚部材２、２と後部脚部材３、３とは同じ高さである。
【０００９】
図２の（ａ）は、前記前部主脚部材２まわりの側面断面図である。前記前部主脚部材２は樹脂製の中空の略円筒有底体の中央部分にネジ21を備え、前記ネジ21を無線通信機１の底面の前部にねじ込んで固定するように構成されている。
図２の（ｂ）は、前記前部主脚部材２の底面図である。この図に示したように、前記前部主脚部材２の底面には、凹部22が形成され、該凹部22の内側面には被係止用の一対の切欠き23、24が形成されている。なお、これらの切欠き23と切欠き24の切欠き幅は異なる幅になっている。例えば、前面側の切欠き23の幅の方が広くなっている。
【００１０】
図３の（ａ）は、本発明の特徴とするところの着脱式脚部材４の側面断面図である。
この着脱式脚部材４も樹脂製の中空の略円筒有底体であり、前記前部主脚材２に被せ得るように、前記前部主脚部材２の外径より僅かに大きな内径の中空部41が形成されている。さらに、前記中空部41の中央部に立設された軸体42の先部には一対の係止用爪部材43、44が形成されている。なお、これらの係止用爪部材43と係止用爪部材44の幅は、前記一対の切欠き23、24の切欠き幅に合わせて、互いに異なる幅になっている。例えば、前面側の係止用爪部材43の幅は、切欠き幅が広い方の前記前面側の切欠き23に挿入し得る幅であって、且つ他方の切欠き幅が狭い方の切欠き24には挿入できない幅に形成され、他方の係止用爪部材44の幅は、他方の狭い方の切欠き24に挿入し得る幅に形成されている。
このように、係止用爪部材の幅と切欠きの切欠き幅とを、上述したように所定の異なる幅とすることによって、正しい角度（向き）にしか装着できないように装着角度を規制する規制構造が形成されている。
【００１１】
前記係止用爪部材43、44の先端の外側には係止突起45、46が形成されており、前記係止用爪部材43、44は樹脂の性質により弾性が与えられている。
そして、前記係止突起45、46の最大外法は、前記前部主脚部材２に形成された一対の切欠き23、24の内法より若干広く形成され、弾性変形させることによって、図３の（ｂ）に示したように、前記一対の切欠き23、24に挿入し得るように形成されている。
前記係止突起45、46の断面形状は外側に頂点を配し、内側に底辺を配した三角形状になっている。そのため、前記着脱式脚部材４を装着するときには、前記三角形の上側の斜辺によって、前記係止用爪部材43、44を弾性変形させつつ前記切欠き23、24に挿入しやすく、また、前記着脱式脚部材４を取り外すときには、下側の斜辺によって、前記係止用爪部材43、44を弾性変形させつつ前記切欠き23、24から引き抜くことができる。
【００１２】
また、図３の（ａ）、（ｂ）に示したように、着脱式脚部材４の底面47は、装着した状態において載置面Ｐと平行になって安定して使用できるように、若干傾斜している。
即ち、この着脱式脚部材４を装着した場合における脚部材の中心部での高さの増加分ｈと、前部脚部材と後部脚部材との間隔Ｌと傾斜角θとは次式の関係となっている。
ｈ＝Ｌ×tan（θ）
【００１３】
なお、前記無線通信機１は特許請求の範囲に記載された箱状の筐体に相当し、
前記着脱式脚部材４は特許請求の範囲に記載された着脱可能な脚部材に相当し、
前記一対の切欠き23、24と、前記一対の係止用爪部材43、44とは特許請求の範囲に記載された規制構造に相当し、前記前部主脚部材２、２は特許請求の範囲に記載された予め配設された脚部材に相当する構成である。
【００１４】
図４に、前記無線通信機１の側面図を示した。
図４の（ａ）に示したように、前記無線通信機１を載置面Ｐに水平に載置して使用する場合には、高さの等しい前記前部主脚部材２、２と前記後部脚部材３、３とによって載置する。
そして、図４の（ｂ）に示したように、前記無線通信機１を載置面Ｐに対して若干傾斜させて載置して使用する場合には、前記前部主脚部材２、２に着脱式脚部材４、４を被せて装着する。
【００１５】
着脱式脚部材４を装着するときには、前述したように、着脱式脚部材４に形成された係止突起45、46の幅を、前部主脚部材２に形成された一対の切欠き23、24の幅に合わせて、押し込むことによって、係止突起45、46を弾性変形させて一対の切欠き23、24に挿入する。
【００１６】
このように着脱式脚部材４、４を前部主脚部材２、２に被せて装着すると、無線通信機１は、前記着脱式脚部材４、４と前記後部脚部材３、３とが載置面Ｐに当たった状態で載置される。従って、前記着脱式脚部材４、４によって無線通信機１の前部が持ち上げられて、全体的に前記傾斜角θで傾斜した状態て載置される。（図４の（ｂ）参照）
従って、無線通信機１の前面に配設されている液晶ディスプレイ装置12や、各種操作スイッチ・ツマミ類の視認性や操作性が向上する。
【実施例１】
【００１７】
本発明の実施例としては、図５に示したように、高さの異なる複数の着脱式脚部材４Ａ、４Ｂを準備しておけば、複数の傾斜角で載置することができる。このとき、前記着脱式脚部材４Ａ、４Ｂは低コストであるとともに十分な強度が得られる。
これらの複数の着脱式脚部材を互いに入れ子状態に被せて使用できるようにしてもよい。
また、前記後部脚部材３、３の底面も若干傾斜させるか、曲面に形成してもよい。
なお、着脱式脚部材の数は２個に限定されるものではなく、必要に応じて１個以上の何個でもよい。
【実施例２】
【００１８】
実施例１では、前部脚部材に装着する場合を説明したが、図６に示したように、後部脚部材に着脱式脚部材を装着して、後部を持ち上げるように構成することもできる。このような実施例は、筐体の状面に表示部や操作部が配設された機器に採用することができる。このように、着脱式脚部材を装着する部分は前部に限らず、後部や側部でもよい。また、固定式の脚部材に被せて装着する形態に限定されるものではなく、別の位置に着脱する構造を設けても良い。この場合には、固定式の脚部材がなくてもよい。
【産業上の利用可能性】
【００１９】
本発明の筐体の脚構造は、無線通信機だけでなく、種々の電子機器の筐体に採用することができる。さらには、電子機器に限らず、箱状の筐体一般にも採用することができる。
【図面の簡単な説明】
【００２０】
【図１】本発明にかかる筐体の脚構造の実施の形態の採用した無線通信機の斜視図である。
【図２】固定された前部主脚部材の側面断面図であり、図２の（ａ）は無線通信機に装着した状態の側面断面図であり、図２の（ｂ）は底面図である。
【図３】着脱式脚部材の側面断面図であり、図３の（ａ）は着脱式脚部材の単体の側面断面図であり、図３の（ｂ）は無線通信機に装着した状態の側面断面図である。
【図４】無線通信機の側面図であり、図４の（ａ）は水平に載置した状態、図４の（ｂ）は傾斜させて載置した状態を示している。
【図５】実施例１の説明図である。
【図６】実施例２の説明図である。
【符号の説明】
【００２１】
１    無線通信機、筐体
２    前部主脚部材、予め配設された脚部材
４    着脱式脚部材、着脱可能な脚部材
23、24  一対の切欠き、規制構造
43、44  一対の係止用爪部材、規制構造
【図１】
2005166720.tif 000003
【図２】
2005166720.tif 000004
【図３】
2005166720.tif 000005
【図４】
2005166720.tif 000006
【図５】
2005166720.tif 000007
【図６】
2005166720.tif 000008